(57)【要約】【課題】羽根車の洗浄力を更に向上することを目的とする。【解決手段】モータ１４により回転する羽根車１０と、羽根車１０を洗浄液３４に浸漬させるための洗浄ケーシング１５と、貯水装置３５と、給水部３６と、モータ１４と給水部３６とを制御する制御部１３とを備えている。制御部１３は羽根車１０を洗浄液３４で洗浄する洗浄モードを有し、通常の温度より高めの洗浄液３４を貯水装置３５内に入れた後の洗浄モードでは、制御部１３は給水部３６によって貯水装置３５内の洗浄液３４を洗浄ケーシング１５内に所定量を給水し、モータ１４によって羽根車１０を第１の回転速度で第１の所定時間回転させ、第１の所定時間経過後には、モータ１４によって羽根車１０を第２の回転速度で第２の所定時間回転させながら給水部３６によって洗浄液を羽根車へ直接散水する。【選択図】図１
2017125621.tif 000002
【特許請求の範囲】
【請求項１】
モータにより回転する羽根車と、
前記羽根車を洗浄液に浸漬させるための洗浄ケーシングと、
前記洗浄液を貯水する貯水装置と、
前記貯水装置内の前記洗浄液を前記洗浄ケーシングおよび前記羽根車に給水する給水部と、
前記モータと前記給水部とを制御する制御部とを備え、
前記制御部は前記羽根車を前記洗浄液で洗浄する洗浄モードを有し、
通常の温度より高めの前記洗浄液を前記貯水装置内に入れた後の前記洗浄モードでは、
前記制御部は前記給水部によって前記貯水装置内の前記洗浄液を前記洗浄ケーシング内に所定量を給水し、
前記モータによって前記羽根車を第１の回転速度で第１の所定時間回転させ、
前記第１の所定時間経過後には、
前記モータによって前記羽根車を第２の回転速度で第２の所定時間回転させながら前記給水部によって前記洗浄液を前記羽根車へ直接給水することを特徴とするレンジフード。
【請求項２】
前記給水部から前記洗浄ケーシング内に給水する流量は、
前記給水部から前記羽根車に給水する流量より大きいことを特徴とする請求項１に記載のレンジフード。
【請求項３】
前記給水部から前記羽根車に給水する水圧は、
前記給水部から前記洗浄ケーシング内に給水する水圧より大きいことを特徴とする請求項１または２に記載のレンジフード。
【請求項４】
前記給水部は、
前記洗浄ケーシングに洗浄液を給水する給水ノズルと、
前記羽根車へ洗浄液を噴射する散水ノズルとを備え、
前記給水ノズルの給水口の開口面積は、
前記散水ノズルの噴射口の開口面積より大きいことを特徴とする請求項１から３のいずれかに記載のレンジフード。
【請求項５】
前記給水口と前記洗浄ケーシングの底面との距離は、
前記噴射口と前記洗浄ケーシングの底面との距離より短いことを特徴とする請求項４に記載のレンジフード。
【請求項６】
前記羽根車は、
前記モータに固定される主板と、
前記主板の一方面周縁部から前記羽根車の回転軸方向へ延びた複数のブレードとを備え、
前記ブレードは、
前記羽根車の回転軸方向から見ると曲面形状で、
前記洗浄モードにおいて前記制御部が前記モータによって前記羽根車を第１の所定時間回転させる方向は、
前記ブレードの凸面側から前記洗浄液に入る方向であることを特徴とする請求項１から５のいずれかに記載のレンジフード。
【発明の詳細な説明】
【技術分野】
【０００１】
本発明は、レンジフードの羽根車の汚れ除去に関するものである。
【背景技術】
【０００２】
従来、この種のレンジフードは、図１０に示すように、調理器具（図示せず）の上方に、調理器具から発生する油煙や周囲に浮遊する埃等を捕集する吸込口１０１を設けたフード１０２を壁面１０３に設置し、フード１０２には、天面には屋外とダクト１０４を介して連通する排出口１０５を設け、内部には回転軸１０６を略水平にして配置した電動機１０７と、回転軸１０６に取り付けた羽根車１０８と、羽根車１０８を包括した洗浄ケーシング１０９を配設し、この羽根車１０８を介し、吸込口１０１と排出口１０５を結ぶ通風路１１０を形成している。また、フード１０２の吸込口１０１近傍には平板状の整流板１１１が配設されている。
【０００３】
洗浄ケーシング１０９の下方には、洗浄液１１２を貯水する貯水装置１１３と給水ポンプ１１４を設け、洗浄ケーシング１０９には、給水ポンプ１１４から接続された散水ノズル１１５を設けている。洗浄ケーシング１０９の下端部には孔１１６を設けて、孔１１６は洗浄ケーシング１０９内に洗浄液１１２を貯排する開閉弁１１７を設け、開閉弁１１７の下方に排水トレイ１１８を構成している。
【０００４】
図１１に示すように、遠心ファンの羽根車１０８は、主板１１９に立設した複数のブレード１２０を備え、羽根車１０８内部には、リング状の油捕集機構部１２１を、ブレード１２０から１５〔ｍｍ〕程度の距離を離して、回転軸１０６方向に所定間隔を空けて複数枚取り付けている。
【０００５】
以下、そのレンジフードについて図１２を参照しながら説明する。
【０００６】
洗浄時には、羽根車１０８の回転軸１０６より下方の部分が、洗浄ケーシング１０９内で貯水装置１１３（図示せず）から供給された洗浄液１１２に浸漬される。羽根車１０８および油捕集機構部１２１には、レンジフードの使用に伴い汚れが付着している。羽根車１０８を回転軸１０６で回転させることで、汚れが付着した部分を洗浄液１１２に浸漬させて洗浄することができる（例えば、特許文献１を参照）。
【先行技術文献】
【特許文献】
【０００７】
【特許文献１】特開２０１４−０６２７１０号公報
【発明の概要】
【発明が解決しようとする課題】
【０００８】
このような従来のレンジフードにおいては、油汚れがひどい場合には、洗浄することが困難な場合があった。
【０００９】
本発明は、上記従来の課題を解決するものであり、羽根車の洗浄力を更に向上できるレンジフードを提供することを目的としている。
【課題を解決するための手段】
【００１０】
本発明は、上記目的を達成するために、モータにより回転する羽根車と、前記羽根車を洗浄液に浸漬させるための洗浄ケーシングと、前記洗浄液を貯水する貯水装置と、前記貯水装置内の前記洗浄液を前記洗浄ケーシングおよび前記羽根車に給水する給水部と、前記モータと前記給水部とを制御する制御部とを備え、前記制御部は前記羽根車を前記洗浄液で洗浄する洗浄モードを有し、通常の温度より高めの前記洗浄液を前記貯水装置内に入れた後の前記洗浄モードでは、前記制御部は前記給水部によって前記貯水装置内の前記洗浄液を前記洗浄ケーシング内に所定量を給水し、前記モータによって前記羽根車を第１の回転速度で第１の所定時間回転させ、前記第１の所定時間経過後には、前記モータによって前記羽根車を第２の回転速度で第２の所定時間回転させながら前記給水部によって前記洗浄液を前記羽根車へ直接散水するものであり、これにより所期の目的を達成するものである。
【発明の効果】
【００１１】
本発明によれば、モータにより回転する羽根車と、前記羽根車を洗浄液に浸漬させるための洗浄ケーシングと、前記洗浄液を貯水する貯水装置と、前記貯水装置内の前記洗浄液を前記洗浄ケーシングおよび前記羽根車に給水する給水部と、前記モータと前記給水部とを制御する制御部とを備え、前記制御部は前記羽根車を前記洗浄液で洗浄する洗浄モードを有し、通常の温度より高めの前記洗浄液を前記貯水装置内に入れた後の前記洗浄モードでは、前記制御部は前記給水部によって前記貯水装置内の前記洗浄液を前記洗浄ケーシング内に所定量を給水し、前記モータによって前記羽根車を第１の回転速度で第１の所定時間回転させ、前記第１の所定時間経過後には、前記モータによって前記羽根車を第２の回転速度で第２の所定時間回転させながら前記給水部によって前記洗浄液を前記羽根車へ直接散水することで、羽根車の洗浄力を更に向上できる。
【図面の簡単な説明】
【００１２】
【図１】本発明の実施の形態１のレンジフードを示す断面構成図
【図２】同レンジフードの羽根車の種類図
【図３】同レンジフードの羽根車の構成正面断面図
【図４】同レンジフードの羽根車の構成斜方図
【図５】同レンジフードのケーシング構成図
【図６】同レンジフードの構成を示すブロック図
【図７】同レンジフードの洗浄モードの動作を示すフローチャート
【図８】同レンジフードの給水ノズルの断面図
【図９】同レンジフードの散水ノズルの断面図
【図１０】従来のレンジフードを示す側面断面構成図
【図１１】同レンジフードの羽根車と油捕集機構部の構成を示す図
【図１２】同レンジフードを示す正面断面構成図
【発明を実施するための形態】
【００１３】
本発明の請求項１記載のレンジフードは、モータにより回転する羽根車と、前記羽根車を洗浄液に浸漬させるための洗浄ケーシングと、前記洗浄液を貯水する貯水装置と、前記貯水装置内の前記洗浄液を前記洗浄ケーシングおよび前記羽根車に給水する給水部と、前記モータと前記給水部とを制御する制御部とを備え、前記制御部は前記羽根車を前記洗浄液で洗浄する洗浄モードを有し、通常の温度より高めの前記洗浄液を前記貯水装置内に入れた後の前記洗浄モードでは、前記制御部は前記給水部によって前記貯水装置内の前記洗浄液を前記洗浄ケーシング内に所定量を給水し、前記モータによって前記羽根車を第１の回転速度で第１の所定時間回転させ、前記第１の所定時間経過後には、前記モータによって前記羽根車を第２の回転速度で第２の所定時間回転させながら前記給水部によって前記洗浄液を前記羽根車へ直接散水するものである。
【００１４】
これにより、最初に貯水装置内の通常の温度より高めの洗浄液を洗浄ケーシング内に所定量を給水し、モータによって羽根車を第１の回転速度で第１の所定時間回転させるので、羽根車の温度が上昇し、羽根車に付着した油汚れが取れ易い状態となる。この状態で更に洗浄液を羽根車へ給水するので、水圧で羽根車に付着した油汚れが剥ぎ取られ、羽根車の洗浄力を更に向上できる。
【００１５】
また、請求項２に記載のレンジフードは、前記給水部から前記洗浄ケーシング内に給水する流量は、前記給水部から前記羽根車に給水する流量より大きいものである。
【００１６】
これにより、洗浄液が貯水装置に早く溜まるので、洗浄液の温度低下を抑制でき、羽根車の温度が上昇し易くなる。
【００１７】
また、請求項３に記載のレンジフードは、前記給水部から前記羽根車に給水する水圧は、前記給水部から前記洗浄ケーシング内に給水する水圧より大きいものである。
【００１８】
これにより、洗浄液がより高圧な状態で羽根車に当たるので、洗浄力が強化される。
【００１９】
また、請求項４に記載のレンジフードは、前記給水部は、前記洗浄ケーシングに洗浄液を給水する給水ノズルと、前記羽根車へ洗浄液を噴射する散水ノズルとを備え、前記給水ノズルの給水口の開口面積は、前記散水ノズルの噴射口の開口面積より大きいものである。
【００２０】
これにより、洗浄液が早く貯水装置に溜まるので、洗浄液の温度低下を抑制でき、より高圧な状態で洗浄液が羽根車に当たるので、洗浄力が強化される。
【００２１】
また、請求項５に記載のレンジフードは、前記給水口と前記洗浄ケーシングの底面との距離は、前記噴射口と前記洗浄ケーシングの底面との距離より短いものである。
【００２２】
これにより、高い位置から洗浄液を給水する場合に比べ、洗浄ケーシング内で洗浄液が混ざり合い難くなり、洗浄ケーシング内の底で冷まされた洗浄液が上部に上がり難く、洗浄液の温度低下を抑制できる。
【００２３】
また、請求項６に記載のレンジフードは、前記羽根車は、前記モータに固定される主板と、前記主板の一方面周縁部から前記羽根車の回転軸方向へ延びた複数のブレードとを備え、前記ブレードは、前記羽根車の回転軸方向から見ると曲面形状で、前記洗浄モードにおいて前記制御部が前記モータによって前記羽根車を第１の所定時間回転させる方向は、前記ブレードの凸面側から前記洗浄液に入る方向である。
【００２４】
これにより、ブレードによって洗浄液が汲み上げられることを抑制できるので、洗浄ケーシング内の底で冷まされた洗浄液が上部に上がり難く、洗浄液の温度低下を抑制できる。
【００２５】
以下、本発明の実施の形態について図面を参照しながら説明する。
【００２６】
（実施の形態１）
図１に示すように、本実施の形態１では、レンジフード１は、本体２を壁面３に設置し、排出口４にダクト５を接続して屋外と連通している。
【００２７】
本体２は、調理器具（図示せず）の上方で調理器具から発生する油煙や周囲に浮遊する埃等を捕集できるようにフード部６を備えた箱体であって、フード部６の下面７に吸込口８、天面９に前記排出口４を備えている。
【００２８】
本体２の内部には、羽根車１０を備えた送風機１１と羽根車１０を洗浄する洗浄装置１２、制御部１３を備えている。図２に示すように、羽根車１０には、シロッコファン、ターボファン、プレートファンのようにいくつかの種類があり、本発明はこのいずれにも適用可能であるが、ここではシロッコファン（遠心ファン）を用いる。すなわち、羽根車１０は、かご型円筒形状を有している。
【００２９】
送風機１１は、前記羽根車１０に加えて、この羽根車１０を回転させるモータ１４と羽根車１０を包囲する洗浄ケーシング１５を備えている。
【００３０】
図３および図４に示すように、羽根車１０は少なくとも、複数のブレード１６と環状の側板１７と円形の主板１８で構成されている。ブレード１６は、送風機１１の送風機流入口１９側に位置する前記側板１７とモータ１４側に位置する主板１８によって両端部を挟み込むようにして配置している。
【００３１】
前記ブレード１６は、主板１８上の外周部で円環状に複数立設されている。すなわちブレード１６は同一円周上に配置されている。そしてブレード１６は、羽根車１０の外周から内周へ向けた直線状の流路が所定の角度範囲で隣のブレード１６に干渉しないように、隙間を開けて配置している。つまり、１つのブレードである第一ブレード２０は、隣に配置した第二ブレード２１に対して、所定の間隔を開けて配置している。
【００３２】
また、ブレード１６は、羽根車１０の内周側の辺で入口を外周側の辺で出口を形成している。図３において、ブレード１６は前記入口と出口を結ぶ弦を引くことができるように曲面状または円弧状の板である。
【００３３】
図５に示す洗浄ケーシング１５には、前記送風機流入口１９と送風機吹出口２３が備えられている。
【００３４】
洗浄ケーシング１５は、スクロール板２４と、このスクロール板２４を挟むように配置したケーシング前面板２５とケーシング背面板２６と、舌部２７と、スクロール板２４の延長上に備えた延設板２８と、舌部２７の延長上に備えた延長板２９とを備えている。なお、洗浄ケーシング１５において、延設板２８と、延長板２９は必須ではない。
【００３５】
ケーシング前面板２５とケーシング背面板２６は、羽根車１０の高さ方向（図４の側板１７と主板１８との間の距離）に対応して所定の間隔を開けて配置した平面板である。
【００３６】
スクロール板２４は、羽根車１０の外周で、舌部２７を基点として羽根車１０の送風回転方向に向って風路を拡大する曲面板である。延設板２８はスクロール板２４をさらに送風機吹出口２３へ延設した平面板である。また、延長板２９は、舌部２７の反送風回転方向側から送風機吹出口２３へ延設した平面板である。
【００３７】
また、スクロール板２４は、洗浄ケーシング１５の側面部３０の主要部に渡り配置されている。洗浄ケーシング１５の側面において、舌部２７から羽根車１０の送風回転方向に約３００度の範囲を占めている。
【００３８】
送風機吹出口２３は、洗浄ケーシング１５の側面部３０において、ケーシング前面板２５とケーシング背面板２６と延設板２８、延長板２９のそれぞれ端部に囲まれて形成している。また、延設板２８、延長板２９を備えない場合には、ケーシング前面板２５とケーシング背面板２６、スクロール板２４、舌部２７のそれぞれ端部に囲まれて形成すればよい。
【００３９】
洗浄ケーシング１５は、略中央部に円形の送風機流入口１９を設け、その周りにオリフィス３１を備えている。また、ケーシング背面板２６側にモータ１４を配置し、モータ１４からシャフト３２を通じ羽根車１０を回転させている。（図１参照）
洗浄ケーシング１５は、本体２内部で、ケーシング前面板２５とケーシング背面板２６を立てるように配置している。すなわち、羽根車１０は、回転軸２２を横にして配置し、送風機吹出口２３を上方へ向けて配置している。
【００４０】
そして、送風機吹出口２３は、本体２の排出口４へ接続されている。送風機流入口１９は、本体２内部に開口し、吸込口８に連通している。
【００４１】
モータ１４の内部には、回転数センサー（図示せず）と電流センサー（図示せず）がついており、モータ１４の回転数と電流値を検知する。回転数センサーとしては、ホールＩＣが好ましく、コストが安く精度が良いからである。
【００４２】
図１に示すように、洗浄装置１２は、送風機１１の洗浄ケーシング１５と、洗浄液３４を貯水する貯水装置３５と、給水部３６と、排水トレイ３７とを備えている。洗浄ケーシング１５は、送風機１１と洗浄装置１２の両方の構成部品を兼ねている。
【００４３】
洗浄ケーシング１５は、下端部に孔３８を設けて、孔３８には洗浄ケーシング１５内に洗浄液３４を貯排する開閉弁３９を設け、開閉弁３９の下方に排水トレイ３７を配置している。貯水装置３５は、洗浄ケーシング１５の下方に設けている。
【００４４】
給水部３６は、給水ノズル４０と、散水ノズル４１と、給水ポンプ４２と、切替弁４３とを備えている。
【００４５】
給水ノズル４０は、洗浄ケーシング１５におけるケーシング背面板２６の下部に設けられ、散水ノズル４１は、洗浄ケーシング１５のスクロール板２４における上部である舌部２７の近傍に設けられている。
【００４６】
給水ポンプ４２は、貯水装置３５の上方、フード部６内の背面下部に設けられ、貯水装置３５と給水ポンプ４２とは筒形状の第１の管４４によって連通している。第１の管４４は、給水ポンプ４２の上流側である吸い込み側に設けられている。給水ポンプ４２の下流側である吹き出し側に筒形状の第２の管４５を設けている。給水ポンプ４２は、第２の管４５によって切替弁４３と連通している。給水ポンプ４２によって、貯水装置３５内の洗浄液３４を第１の管４４を介して給水ポンプ４２に吸い上げ、第２の管４５を介して切替弁４３へ送水される。
【００４７】
切替弁４３の下流側には、切替弁４３と給水ノズル４０とを連通する筒形状の第３の管４６と、切替弁４３と散水ノズル４１とを連通する筒形状の第４の管４７とを備えている。第２の管４５から切替弁４３へ流れ込んだ洗浄液３４は、給水ノズル４０または散水ノズル４１へ洗浄液３４の送水先を切り替えることができる。切替弁４３によって、給水ノズル４０に送水されると、給水ノズル４０の給水口４８から洗浄ケーシング１５内に洗浄液３４を給水する。一方、切替弁４３によって、散水ノズル４１に送水されると、散水ノズル４１の噴射口４９から洗浄ケーシング１５内の羽根車１０に洗浄液３４を散水する。なお、切替弁４３を設けずに、給水ノズル４０と散水ノズル４１にそれぞれ給水ポンプを設けた場合にも同様の動作となる。
【００４８】
図６、図７に示すように、制御部１３は、送風機１１（モータ１４）と給水部３６（給水ポンプ４２、切替弁４３）と開閉弁３９の動作を制御し、羽根車１０を洗浄液３４で洗浄する洗浄モードを有している。なお、制御部１３と、モータ１４、給水ポンプ４２、切替弁４３、開閉弁３９は有線で電気的に接続されているものとする。
【００４９】
洗浄モードについて説明する。使用者は、最初に通常の温度より高めの洗浄液３４を貯水装置３５内に入れ、操作部５０によって洗浄モードを選択する（Ｓ１）。これにより、制御部１３は洗浄モードを開始する。通常の温度より高めの洗浄液３４とは、３０度以上の洗浄液３４である。更に良い温度は、３５度から４５度である。この温度であれば、羽根車１０に付着した油汚れが取れ易い状態となると共に、使用者が貯水装置３５に入れる場合に、洗浄液３４の温度が高過ぎず、安全性が保たれる。また、貯水装置３５にヒーター（図示せず）を設け、貯水装置３５内の洗浄液３４をヒーターによって温めてもよい。更に、貯水装置３５に温度センサー（図示せず）を設け、貯水装置３５内の洗浄液３４が所定の温度以上になると、洗浄モードが作動する制御としても良い。
【００５０】
まず、制御部１３は給水部３６によって貯水装置３５内の洗浄液３４を洗浄ケーシング１５内に給水する（Ｓ２）。つまり、制御部１３は給水ポンプ４２を動作させ、切替弁４３を給水ノズル別に切り替えることによって、給水ポンプ４２から給水ノズル４０へ送水し、給水口４８から洗浄ケーシング１５内に洗浄液３４を給水する。
【００５１】
そして、洗浄ケーシング１５内に洗浄液３４が、所定量になるまでの所定時間（給水時間）が経過するまで給水ポンプ４２は動作し、給水を継続する（Ｓ３）。そして、給水時間経過後に、制御部１３は給水ポンプ４２の動作を止め、給水を停止する（Ｓ４）。所定量とは、羽根車１０の下端に位置するブレード１６が洗浄液３４に浸漬する量であり、所定時間（給水時間）は、洗浄液３４が所定量給水されるまでの時間を予め求めているものである。
【００５２】
次に、制御部１３はモータ１４によって羽根車１０を第１の回転速度で第１の所定時間回転させる（Ｓ５）。第１の所定時間経過後（Ｓ６）には、制御部１３はモータ１４によって羽根車１０を第２の回転速度で第２の所定時間回転させながら給水部３６によって洗浄液３４を羽根車１０へ直接散水する（Ｓ７）。制御部１３はモータ１４と給水ポンプ４２とを動作させ、切替弁４３によって、給水ポンプ４２から散水ノズル４１へ送水し、噴射口４９から洗浄ケーシング１５内の羽根車１０に洗浄液３４を直接散水する。
【００５３】
そして、第２の所定時間経過後（Ｓ８）には、制御部１３はモータ１４および給水部３６（給水ポンプ４２）を停止し（Ｓ９）、洗浄ケーシング１５の開閉弁３９を開き（Ｓ１０）、洗浄ケーシング１５内の洗浄液３４を開閉弁３９の下方の排水トレイ３７へ貯める。
【００５４】
最後に、第３の所定時間経過後（Ｓ１１）には、制御部１３は開閉弁３９を閉じる（Ｓ１２）。使用者は、排水トレイ３７を外し、排水トレイ３７内の洗浄液３４を捨てる。これにより、羽根車１０の清浄が完了する。
【００５５】
以上のように、最初に貯水装置３５内の温まった洗浄液を洗浄ケーシング１５内に所定量を給水し、モータ１４によって羽根車１０を第１の回転速度で第１の所定時間回転させるので、羽根車１０の温度が上昇し、羽根車１０に付着した油汚れが取れ易い状態となる。この状態で更に洗浄液３４を羽根車１０へ直接散水するので、水圧によって羽根車１０に付着した油汚れが剥ぎ取られ、羽根車１０の洗浄力を更に向上できる。
【００５６】
図８に示すように、給水ノズル４０は、内部に給水口４８である孔を有した略筒形状で、給水ノズル４０の一方側が第３の管４６内に挿入され、給水ノズル４０の他方側から洗浄液３４が吹き出る。給水ノズル４０の孔における中心軸に対する垂直面の面積が、給水口４８の開口面積である。
【００５７】
図９に示すように、散水ノズル４１は、内部に噴射口４９である孔を有した略筒形状で、第４の管４７内に散水ノズル４１の一方側が挿入され、散水ノズル４１の他方側から洗浄液３４が吹き出る。散水ノズル４１の孔における中心軸に対する垂直面が、噴射口４９の開口面積である。
【００５８】
以上の構成において、給水ノズル４０の給水口４８の開口面積は、散水ノズル４１の噴射口４９の開口面積より大きいものである。これにより、給水ポンプ４２によって給水ノズル４０から洗浄ケーシング１５内に給水する流量は、散水ノズル４１から羽根車１０に給水する流量より大きくなる。結果として、洗浄液３４が早く貯水装置３５に溜まるので、洗浄液３４の温度低下を抑制でき、羽根車１０の温度が上昇し易くなる。更に、散水ノズル４１から羽根車１０に直接散水する水圧は、給水ノズル４０から洗浄ケーシング１５内に給水する水圧より大きくなり、洗浄液３４がより高圧な状態で羽根車１０に当たるので、洗浄力が強化される。
【００５９】
図１に示すように、給水口４８と洗浄ケーシング１５の底面との距離は、噴射口４９と洗浄ケーシング１５の底面との距離より短いものである。具体的には、給水口４８は、洗浄ケーシング１５内に所定量の洗浄液３４を給水した状態の水面より上方、かつモータ１４より下方に配置されている。
【００６０】
これにより、高い位置から洗浄液３４を給水する場合に比べ、洗浄ケーシング１５内で洗浄液３４が混ざり合い難くなり、洗浄ケーシング１５内の底で冷まされた洗浄液３４が上部に上がり難く、洗浄液３４の温度低下を抑制できる。
【００６１】
図３に示すように、羽根車１０は、モータ１４に固定される主板１８と、主板１８の一方面周縁部から羽根車の回転軸方向へ延びた複数のブレード１６とを備えている。ブレード１６は、羽根車１０の回転軸２２方向から見ると曲面形状、円弧形状である。洗浄モードにおいて制御部１３がモータ１４によって羽根車１０を第１の所定時間回転させる方向は、ブレード１６の凸面側から洗浄液３４に入る方向である。羽根車１０がシロッコファンの場合には、羽根車１０を第１の所定時間回転させる方向が送風回転方向と逆の方向となる。なお、ターボファンの場合には、羽根車１０を第１の所定時間回転させる方向は送風回転方向と同じ方向となる。
【００６２】
仮に、洗浄モードにおいて制御部１３がモータ１４によって羽根車１０を第１の所定時間回転させる方向が、ブレード１６の凹面側から洗浄液３４に入る方向の場合には、ブレード１６の凹面側で洗浄液を汲み上げ、再び洗浄液３４の水面に落下させるので、洗浄液３４が混ざり易くなる。
【００６３】
一方、洗浄モードにおいて制御部１３がモータ１４によって羽根車１０を第１の所定時間回転させる方向が、ブレード１６の凸面側から洗浄液３４に入る方向の場合には、ブレード１６によって洗浄液３４が汲み上げられることを抑制できるので、洗浄液３４が混ざり難く、洗浄ケーシング１５内の底で冷まされた洗浄液３４が上部に上がり難く、洗浄液３４の温度低下を抑制できる。また、水跳ねも抑制できる。
【産業上の利用可能性】
【００６４】
本発明にかかるレンジフードは、羽根車の洗浄力を更に向上できるものであり、同様の機能が付いた換気装置にも適用することができる。
【符号の説明】
【００６５】
１    レンジフード
２    本体
３    壁面
４    排出口
５    ダクト
６    フード部
７    下面
８    吸込口
９    天面
１０    羽根車
１１    送風機
１２    洗浄装置
１３    制御部
１４    モータ
１５    洗浄ケーシング
１６    ブレード
１７    側板
１８    主板
１９    送風機流入口
２０    第一ブレード
２１    第二ブレード
２２    回転軸
２３    送風機吹出口
２４    スクロール板
２５    ケーシング前面板
２６    ケーシング背面板
２７    舌部
２８    延設板
２９    延長板
３０    側面部
３１    オリフィス
３２    シャフト
３４    洗浄液
３５    貯水装置
３６    給水部
３７    排水トレイ
３８    孔
３９    開閉弁
４０    給水ノズル
４１    散水ノズル
４２    給水ポンプ
４３    切替弁
４４    第１の管
４５    第２の管
４６    第３の管
４７    第４の管
４８    給水口
４９    噴射口
５０    操作部
１０１    吸込口
１０２    フード
１０３    壁面
１０４    ダクト
１０５    排出口
１０６    回転軸
１０７    電動機
１０８    羽根車
１０９    洗浄ケーシング
１１０    通風路
１１１    整流板
１１２    洗浄液
１１３    貯水装置
１１４    給水ポンプ
１１５    散水ノズル
１１６    孔
１１７    開閉弁
１１８    排水トレイ
１１９    主板
１２０    ブレード
１２１    油捕集機構部
【図１】
2017125621.tif 000003
【図２】
2017125621.tif 000004
【図３】
2017125621.tif 000005
【図４】
2017125621.tif 000006
【図５】
2017125621.tif 000007
【図６】
2017125621.tif 000008
【図７】
2017125621.tif 000009
【図８】
2017125621.tif 000010
【図９】
2017125621.tif 000011
【図１０】
2017125621.tif 000012
【図１１】
2017125621.tif 000013
【図１２】
2017125621.tif 000014